(57)【要約】【課題】壁や天井等の支持面とグローブとの間隙を小さく抑えることができる照明器具を提供する。【解決手段】照明器具１は、壁及び天井を含む支持面６３に台座底面１２を向けて固定される台座１０と、台座１０に設けられる光源５２を、グローブ開口部からグローブ内空間３１に挿入させて被覆するグローブ３０と、グローブ３０に、グローブ開口部からグローブ内空間３１に向かって突設されたグローブ側係合部４０と、グローブ側係合部４０と係合可能に台座１０に設けられた台座側係合部２０とを具備し、グローブ側係合部４０と台座側係合部２０とを係合させた状態で、グローブの支持面側のグローブ端部３２と、台座底面１２または台座底面１２の延長面との間隔が、３ｍｍ以上２０ｍｍ以下となるように構成されている。【選択図】図４
2008091133.tif 000002
【特許請求の範囲】
【請求項１】
壁及び天井を含む支持面に台座底面を向けて固定される台座と、
該台座に設けられる光源を、グローブ開口部からグローブ内空間に挿入させて被覆するグローブと、
該グローブに、前記グローブ開口部から前記グローブ内空間に向かって突設されたグローブ側係合部と、
該グローブ側係合部と係合可能に前記台座に設けられた台座側係合部とを具備し、
前記グローブ側係合部と前記台座側係合部とを係合させた状態で、前記グローブの支持面側のグローブ端部と、前記台座底面または前記台座底面の延長面との間隔が、３ｍｍ以上２０ｍｍ以下であることを特徴とする照明器具。
【請求項２】
前記グローブ側係合部は、前記グローブ開口部から前記グローブ内空間に向かって略円管状に延設されると共に、前記台座側係合部は前記グローブ側係合部に嵌入可能な略円管状に形成され、
前記グローブ側係合部の内周面及び前記台座側係合部の外周面の何れか一方に設けられた突部と、
前記グローブ側係合部の内周面及び前記台座側係合部の外周面の他方に、前記突部と対応する位置に設けられ、周方向に略直交して形成され開端から前記突部を導入する導入溝部、及び該導入溝部に連通して周方向に延びるように形成され前記突部をスライドさせるスライド溝部、を備えた係止溝部と
を更に具備することを特徴とする請求項１に記載の照明器具。
【請求項３】
前記突部及び前記係止溝部はそれぞれ三つ以上が設けられ、
隣接する前記突部及び回転中心により構成される角度のうち、少なくとも一つは他と異なる角度であることを特徴とする請求項２に記載の照明器具。
【請求項４】
前記スライド溝部に設けられ、前記突部の前記スライド溝部に沿ったスライドを許容しつつ、そのスライドに抵抗を与える小突起を
更に具備することを特徴とする請求項２または請求項３に記載の照明器具。
【発明の詳細な説明】
【技術分野】
【０００１】
本発明は、照明器具に関するものであり、特に、壁や天井等の支持面に固定される台座に光源を設け、光源を被覆するグローブを台座に取り付けて使用する照明器具に関するものである。
【背景技術】
【０００２】
従来より、壁や天井等の支持面に固定される台座に光源を設け、光源を被覆するグローブを台座に取り付けて使用する照明器具として、図６に概略構成を例示するような照明器具１００が知られている。これは、グローブ１０１の開口部１０２から外側に向けて突設された接続部１０３の外周面に螺子部１０４を形成し、台座１１１には螺子部１０４と螺合する螺子溝１１４を形成したものである。
【０００３】
上記の従来技術は、公然に実施されているものであり、出願人は、この従来技術が記載された文献を、本願出願時においては知見していない。
【発明の開示】
【発明が解決しようとする課題】
【０００４】
近年では、インテリア用品全体として、すっきりとした凹凸の少ないデザインが需要者に好まれる傾向がある。しかしながら、上記のような照明器具１００は、グローブ１０１が台座１１１にしっかりと固定されるためには、螺子部１０４及び螺子溝１１４の螺合のための回転数がある程度は必要であり、それに伴って接続部１０３の高さが大きくなり、グローブ１０１と支持面との間隙が大きくなってしまうものであった。そのため、たとえグローブの形状自体をすっきりとしたデザインにしたとしても、照明器具全体が支持面から突出している印象を与え、需要者の要望に充分に応えることができなかった。
【０００５】
また、上記のような照明器具１００では、最終位置まで螺子部１０４を回転させてグローブ１０１が固定される角度は、台座１１１の支持面への取り付け角度に依存する。そのため、取り付け角度を問わない丸型などのグローブの場合はよいものの、取り付け角度が定められている角型などのグローブの場合は、支持面への台座の取り付け角度に正確さが求められ、照明器具を取り付ける施工者の作業を面倒なものにしていた。更に、台座を支持面に取り付けた後に、螺子部の回転の度合いによって、グローブの角度を調整しようとすると、螺子部と螺子溝の螺合が不十分となり、グローブの台座への取り付け状態が不安定となる恐れがあった。
【０００６】
そこで、本発明は、上記の実情に鑑み、壁や天井等の支持面とグローブとの間隙を小さく抑えることができる照明器具の提供を、第一の課題とするものである。加えて、台座が支持面に固定された後においても、安定な取り付け状態を維持しつつ、グローブの角度を容易に調整することが可能な照明器具の提供を、第二の課題とするものである。
【課題を解決するための手段】
【０００７】
上記の課題を解決するため、本発明にかかる照明器具は、「壁及び天井を含む支持面に台座底面を向けて固定される台座と、該台座に設けられる光源を、グローブ開口部からグローブ内空間に挿入させて被覆するグローブと、該グローブに、前記グローブ開口部から前記グローブ内空間に向かって突設されたグローブ側係合部と、該グローブ側係合部と係合可能に前記台座に設けられた台座側係合部とを具備し、前記グローブ側係合部と前記台座側係合部とを係合させた状態で、前記グローブの支持面側のグローブ端部と、前記台座底面または前記台座底面の延長面との間隔が、３ｍｍ以上２０ｍｍ以下である」ものである。
【０００８】
「支持面」は、壁、天井、支柱などの照明器具が取り付けられる面であり、支持面に対して台座を取り付け、台座に対してグローブを取り付けることにより、照明器具は支持面によって支持される。ここで、台座の支持面への取り付けは、釘、ボルト等による留め付けや、接着等により行うことができる。
【０００９】
「グローブ」は、形状は限定されるものではないが、開口部を有し、その開口部から挿入させた光源を被覆するための所定容量の内部空間を有するものである。その開口部及び内部空間を、それぞれ「グローブ開口部」及び「グローブ内空間」と称することとする。
【００１０】
本発明では、グローブの台座への取り付けは、「台座側係合部」と「グローブ側係合部」との係合により行われるが、かかる係合としては、台座側係合部及びグローブ側係合部の一方に突状の構成を設け、これが嵌め込まれる溝状の構成を他方に設けたものや、一方に爪状の構成を設け、他方にこれと係合する被係合部を設けたものを例示することができる。或いは、グローブ側係合部の内側面と台座側係合部の外側面とを、螺子部と螺子溝の螺合により係合させる構成とすることもできる。なお、グローブ及びグローブ側係合部、台座及び台座側係合部は、それぞれ一体的に形成されるものであっても、別体で形成した後に接着等により一体化されるものであってもよい。
【００１１】
従って、本発明によれば、グローブ側係合部をグローブ開口部からグローブ内部空間に向かって突設し、グローブの内部で台座側係合部と係合させているため、グローブの開口部から外方に露呈する台座部分の長さ、すなわち、支持面側のグローブ端部から台座底面またはその延長面までの距離を小さく抑えることが可能となる。これにより、支持面からのグローブの突出を抑制し、全体としてすっきりとした印象を与える照明器具とすることができる。
【００１２】
また、研究の結果、照明器具が水に濡れたとき、グローブ端部と支持面との間隙が３ｍｍより小さい場合は、その間隙に水滴が保持されてしまい、カビや支持面の傷みを生じやすい不具合があり、該間隙が３ｍｍ以上の場合は、水滴が速やかに間隙から排除されることを見いだした。従って、本発明によれば、グローブ端部から台座底面またはその延長面までの長さを、３ｍｍ以上とすることによって、浴室や屋外の門壁に取り付けるなど、水に濡れる環境下での使用にも適した照明器具とすることができると共に、該長さを２０ｍｍ以下とすることにより、支持面からのグローブの突出の少ない照明器具とすることができる。
【００１３】
更に、本発明にかかる照明器具は、上記構成に加え、「前記グローブ側係合部は、前記グローブ開口部から前記グローブ内空間に向かって略円管状に延設されると共に、前記台座側係合部は前記グローブ側係合部に嵌入可能な略円管状に形成され、前記グローブ側係合部の内周面及び前記台座側係合部の外周面の何れか一方に設けられた突部と、前記グローブ側係合部の内周面及び前記台座側係合部の外周面の他方に、前記突部と対応する位置に設けられ、周方向に略直交して形成され開端から前記突部を導入する導入溝部、及び該導入溝部に連通して周方向に延びるように形成され前記突部をスライドさせるスライド溝部、を備えた係止溝部とを」具備するものとすることができる。
【００１４】
「突部」は、例えば、直方体形状、立方体形状とすることができ、グローブ側係合部または台座側係合部と一体的に形成されるものであっても、別体で形成した後に接着等によりグローブ側係合部または台座側係合部と一体化されるものであってもよい。
【００１５】
「導入溝部」及び「スライド溝部」は、突部を導入してスライドさせることができれば、凹状の構成であっても、切欠き状や貫通した孔状の構成であってもよい。また、導入溝部及びスライド溝部の幅は、突部の幅より広く形成されるが、グローブ側係合部と台座側係合部とが、がたつくことなく係合するためには、導入溝部及びスライド溝部の幅を、突部の幅より僅かに大きく設定することが望ましく、例えば、両者の幅の差を０．２〜２．０ｍｍとすることができる。
【００１６】
なお、導入溝部が設けられる位置が「前記突部と対応する位置」であるためには、略円管状のグローブ側係合部、及び同じく略円管状の台座側係合部の一方に突部が設けられる角度関係と、他方に導入溝部が設けられる角度関係とを一致させればよい。
【００１７】
従って、本発明によれば、上記構成により、支持面に固定された台座に向かってグローブを押し当てるように操作し、グローブ側係合部と台座側係合部とを嵌め合わせることにより、グローブ側係合部の内周面及び台座側係合部の外周面の一方に設けられた突部を、他方に設けられた導入溝部に挿入することができる。そして、そのままの状態でグローブを回転させれば、導入溝部から周方向に延びるスライド溝部に沿って突部がスライドし、スライド溝部の縁によって突部が係止されるため、台座からのグローブの落脱が防止される。
【００１８】
また、突部と溝部という構成によって、わずかな回転角度でグローブと台座とを充分に係合させることができるため、グローブ側係合部及び台座側係合部の高さを小さく抑えることができる。
【００１９】
更に、突部が導入溝部を経てスライド溝部まで移動した後は、スライド溝部に沿って突部をスライドさせても突部の係止状態が維持される。これにより、台座にグローブが取り付けられた後であっても、グローブの安定な取り付け状態を維持したまま、グローブの回転操作によって、グローブの角度を調整することができる。これにより、取り付け角度が定められている角型などのグローブの場合であっても、支持面への台座の取り付け角度には正確さがさほど要求されないものとなり、照明器具を支持面に取り付ける施工者の作業が容易なものとなる。
【００２０】
また、本発明にかかる照明器具は、「前記突部及び前記係止溝部はそれぞれ三つ以上が設けられ、隣接する前記突部及び回転中心により構成される角度のうち、少なくとも一つは他と異なる角度である」ものとすることができる。
【００２１】
「回転中心」は、嵌め合わされたグローブ側係合部及び台座側係合部を相対的に回転させる際の、回転中心を指している。
【００２２】
突部及び係止溝部の数がそれぞれ三つ未満の場合は、グローブと台座との係合状態が不安定となり易い。従って、本発明によれば、突部及び係止溝部をそれぞれ三つ以上設けることにより、グローブと台座との係合をより安定なものとすることができる。
【００２３】
加えて、隣接する突部及び回転中心によって構成される角度のうち少なくとも一つを他と異なる角度にすることにより、台座側係合部とグローブ側係合部とが係合可能な相対的な角度関係を一つに規制することができる。これにより、グローブが角型の場合など、回転中心周りに対称ではない形状の場合であっても、グローブの台座への取り付け角度を容易に定めることができ、取り付け作業が容易なものとなる。
【００２４】
更に、本発明にかかる照明器具は、上記構成に加え「前記スライド溝部に設けられ、前記突部の前記スライド溝部に沿ったスライドを許容しつつ、そのスライドに抵抗を与える小突起を」具備するものとすることができる。
【００２５】
「小突起」が「前記突部の前記スライド溝部に沿ったスライドを許容しつつ、そのスライドに抵抗を与える」構成であるためには、例えば、小突起をスライド溝部の内方に突出させる高さを、突部の幅とスライド溝部の幅との差程度に設定することができる。或いは、小突起を樹脂や金属等の弾性変形し易い材料で形成すると共に、突部とスライド溝部との幅の差より僅かに大きな高さとし、小突起の弾性変形によって突部の通過を許容するものとしてもよい。なお、小突起は、スライド溝部と一体的に形成されるものであっても、別体で形成した後にスライド溝部に取り付けられるものであってもよい。
【００２６】
従って、本発明によれば、グローブを回転させて突部をスライド溝部に沿ってスライドさせるとき、突部が小突起を通過する際に抵抗が生じる。これにより、突部が導入溝部からスライド溝部に入ったことを、施工者が手感触で知ることができ、グローブの台座への取り付け作業のし易いものとなる。また、照明器具に衝撃や振動が与えられた場合であっても、スライド溝部に位置する突部が導入溝部まで戻ってしまうことが小突起によって防止され、グローブの台座に対する係止状態を、より安定させることができる。
【発明の効果】
【００２７】
以上のように、本発明の効果として、壁や天井等の支持面とグローブとの間隙を、小さく抑えることができる照明器具を提供することができる。加えて、台座が支持面に固定された後においても、安定な取り付け状態を維持しつつ、グローブの角度を容易に調整することが可能な照明器具を提供することができる。
【発明を実施するための最良の形態】
【００２８】
以下、本発明の最良の一実施形態である照明器具について、図１乃至図５に基づいて説明する。ここで、図１は本実施形態の照明器具の（ａ）グローブの構成を示す斜視図、及び（ｂ）台座の構成を示す斜視図であり、図２及び図３は図１（ｂ）の台座の側面図であり、図４は本実施形態の照明器具が支持面に取り付けられた状態を示す説明図であり、図５は図３におけるＸ−Ｘ断面図である。なお、本実施形態では、本発明を浴室用の照明器具に適用した場合を例示する。また、図１（ａ）及び図１（ｂ）では、各構成の寸法は対応させずに図示している。
【００２９】
本実施形態の照明器具１は、壁及び天井を含む支持面６３に台座底面１２を向けて固定される台座１０と、台座１０に設けられる光源５２を、グローブ開口部３５からグローブ内空間３１に挿入させて被覆するグローブ３０と、グローブ３０に、グローブ開口部３５からグローブ内空間３１に向かって突設されたグローブ側係合部４０と、グローブ側係合部４０と係合可能に台座１０に設けられた台座側係合部２０とを具備し、グローブ側係合部４０と台座側係合部２０とを係合させた状態で、グローブの支持面側のグローブ端部と、台座底面１２または台座底面１２の延長面との間隔が、３ｍｍ以上２０ｍｍ以下となるように構成されている。
【００３０】
より詳細に説明すると、グローブ３０は、図１（ａ）に示すように、グローブ底面３２、第一被覆面３７、及び第二被覆面３８を三側面とする略三角柱状を呈している。ここで、グローブ底面３２は略矩形の平面であり、略円形のグローブ開口部３５が設けられている。また、第一被覆面３７及び第二被覆面３８は、それぞれグローブ底面３２と異なる角度を構成しており、具体的にはそれぞれグローブ底面３２と約７０°及び約５０°の角度を構成すると共に、緩やかに湾曲している。なお、本実施形態では、グローブ開口部３５の中心は、グローブ底面３２の中心より、第一被覆面３７との境界辺の側に偏っている。
【００３１】
グローブ開口部３５からは、グローブ内部空間３１に向かって円管状のグローブ側係合部４０が延設されている。そして、グローブ側係合部４０の内周面には、周方向に沿って三つの略直方体状の突部４１が設けられている。また、グローブ開口部３５の周縁に沿って、グローブ底面３２には、後述のフランジ部１６を嵌入させるフランジ受部４６が凹状に形成されている。なお、本実施形態では、グローブ底面３２が、照明器具１が支持面６３に取付けられた際にグローブ３０の支持面側の端部となる構成であり、本発明の「グローブ端部」に相当する。
【００３２】
台座１０は、図１（ｂ）に示すように、略円管状に形成された台座側係合部２０と、台座側係合部２０の一端を閉塞するように設けられた台座基部１１（図２，３参照）によって主に構成されている。ここで、台座側係合部２０の外周面には、周方向に沿って三つの係止溝部２１が設けられており、係止溝部２１が設けられる位置は上記の突部４１と対応させてある。それぞれの係止溝部２１は、主に図２に示すように、台座側係合部２０の自由端側に開端した導入溝部２２と、導入溝部２２と側面視略Ｌ字形を構成するように、導入溝部２２と連通しつつ周方向に延びたスライド溝部２３を備えている。
【００３３】
ここで、スライド溝部２３の周方向に沿った二辺のうち、台座側係合部２０の自由端側の辺は、スライド溝部２３が導入溝部２２と形成する略Ｌ字の内角Ｙを直角よりやや広角とする第一傾斜辺２７と、更にスライド溝部２３の閉端辺２９に向って、第一傾斜辺２７より緩やかに傾斜する第二傾斜辺２８により構成されている。すなわち、スライド溝部２３は、導入溝部２２と連通した角部において最も幅広で、閉端辺２９に向かって先細に形成されている。
【００３４】
三つの係止溝部２１のうちの一つには、図３に示すように、第一傾斜辺２７の第二傾斜辺２８側の端部に、略半円形状の小突起２５が設けられている。ここで、小突起２５が第一傾斜辺２７から突出する最大高さは、小突起２５がない場合のその位置におけるスライド溝部２３の幅と、突部４１の幅との差にほぼ等しく、１．０〜１．５ｍｍに形成されている。また、本実施形態の三つの係止溝部２１は、図５に示すように、隣接する係止溝部２１と、台座側係合部２０の回転中心Ｐで構成する角度（図示、∠Ａ、∠Ｂ、∠Ｃ）が全て異なる設定とされている。なお、図示は省略するが、グローブ側係合部４０の三つの突部４１も、対応する角度関係で設けられている。
【００３５】
台座基部１１には、台座１０を支持面６３に固定する固定用ボルトを挿通するためのボルト挿通孔１３と、電球用のソケット５１を取り付けるソケット取付ネジ５４を挿通するためのソケットネジ孔１４と、ソケット５１に接続される電気コード５５を挿通させるためのコード挿通孔１５が穿設されている。ここで、台座１０を支持面６３に取り付けたときに支持面６３を向く台座底面１２は、台座基部１１において、台座側係合部２０の側とは反対側に、最も突出した部分で構成される面である。
【００３６】
台座基部１１と台座側係合部２０との境界には、台座側係合部２０の外周面に直交するように、外方に向けてフランジ部１６が延設されている。また、台座側係合部２０の外周面とフランジ部１６の境界には、発泡性樹脂製のＯリング５８（図４参照）を嵌め込むための、凹状のＯリング受部１８が設けられている。
【００３７】
次に、上記のような構成の照明器具１の支持面６３に対する取り付けについて、主に図４を用いて説明する。ここでは、支持面６３が壁面である場合を例示する。まず、支持面６３内に配設され、支持面６３に穿設された配線孔６５から引き出された電気コード５５を、台座底面１２側からコード挿通孔１５に挿通しソケット５１に接続した上で、ソケット取付ネジ５４を用い、ソケットネジ孔１４を介してソケット５１を台座基部１１に取り付ける。なお、本実施形態の照明器具１は、壁面の高い位置に取り付けて使用することに適したものであり、光源５２としての電球からの光を斜め下に向けるよう、屈曲型のソケット５１を使用している。また、台座１０おけるソケットネジ孔１４の位置は、壁面に台座１０を取り付けたときに、ソケット５１が台座１０の上部側に位置するように、台座１０の回転中心からは外れた位置に設定されている。
【００３８】
ソケット５１が取付けられた台座１０は、ボルト挿通孔１３を介して、固定用ボルト（図示しない）によって支持面６３に固定される。その際、台座底面１２と支持面６３との間に、防水用パッキング材５２を充填することが望ましい。また、台座基部１１には、支持面６３に対する台座１０の取り付け方向を示す表示（図示しない）がされており、これを目印として台座１０を支持面６３に取り付けることができる。ただし、本実施形態の照明器具１では、後述のように、グローブ３０を台座１０に取り付けた後であってもグローブ３０の角度を調整することができるため、支持面６３への台座１０の取り付けにあたって、台座１０の取り付け角度の正確さはさほど要求されない。
【００３９】
次に、グローブ開口部３５を台座１０の方に向けて、グローブ３０を台座１０に押し当てるように操作し、グローブ側係合部４０に設けられた突部４１を、台座側係合部２０に設けられた導入溝部２２に挿入する。このとき、上述のように、隣接する突部４１及び回転中心により構成される三つの角度は、三つの係止溝部２１の位置と対応していると共に、全て異なる角度に設定されているため、突部４１を導入溝部２２に挿入できる台座１０とグローブ３０との相対的な角度関係は、一つに規制されている。
【００４０】
そして、突部４１が導入溝部２２に挿入された状態でグローブ３０を回転させれば、突部４１がスライド溝部２３に沿ってスライドする。このとき、スライド溝部２３に第一傾斜辺２７が形成され、内角Ｙが直角より広角となっているため、周方向に略直交した導入溝部２２から周方向に沿ったスライド溝部２３へと、スムーズに突部４１をスライドさせることができる。そして、第一傾斜辺２７の端部を過ぎて第二傾斜辺２８まで突部４１をスライドさせることにより、幅がより狭くなっているスライド溝部２３によって、突部４１が安定的に係止される。
【００４１】
このとき、三つの係止溝部２１のうちの一つには小突起２５が設けられているため、突部４１を第一傾斜辺２７から第二傾斜辺２８までスライドさせる際、突部４１が小突起２５を通過する際に抵抗が生じる。これにより、突部４１が安定的に係止される第二傾斜辺２８に沿った位置まで移動したことを、作業者が手感触によって知ることができる。なお、本実施形態では、三つの係止溝部２１のうちの一つにのみ小突起２５が設けられているため、小突起２５が通過する際の抵抗が過度とならず、突部４１をスライドさせるためのグローブ３０の回転操作がしにくくなることを防止しつつ、手感触が得られる構成となっている。
【００４２】
更に、閉端辺２９までは、突部４１を第二傾斜辺２８に沿ってスライドさせても、突部４１がスライド溝部２３に係止された状態が維持される。そのため、グローブ３０を回転させることによって、第二傾斜辺２８の長さに相当する角度分は、グローブ３０の角度を調整することができる。本実施形態では、±１０°の調整が可能な設定となっている。これにより、略矩形のグローブ底面３２の外周を構成する二対の二辺が、それぞれ略水平及び略鉛直となるように、外観良く、グローブ３０を台座１０に取り付けることができる。
【００４３】
このようにして、台座１０が支持面６３に固定され、台座１０にグローブ３０が取付けられた状態では、グローブ端部（グローブ底面３２）と支持面６３との間隙（図４における間隙Ｈ）は、グローブ底面３２と台座底面１２の延長面との距離とほぼ等しい。本実施形態では、グローブ３０を台座１０に取り付けた状態でのグローブ底面３２と台座底面１２の延長面との距離は、台座基部１１の高さとほぼ等しく、約５ｍｍの設定とされている。これにより、従来の照明器具と比較して、グローブ端部と支持面６３との間隙が極めて小さいものとなっている。
【００４４】
以上のように、本実施形態の照明器具１によれば、グローブ側係合部４０をグローブ内空間３１に向かって突設し、グローブ３０の内部空間３１で台座側係合部２０と係合させることにより、グローブ底面３２から台座底面１２の延長面までの距離、ひいてはグローブ底面３２と支持面６３との間隙Ｈが約５ｍｍと小さく抑えられている。そのため、グローブ３０が支持面６３から突出している印象が低減された照明器具１となっている。加えて、間隙Ｈが３ｍｍ以上であるため、間隙Ｈに水が溜まりカビや支持面６３の傷みが生じる等の不具合が防止され、水に濡れる環境下での使用に適する照明器具１となっている。
【００４５】
また、台座１０にグローブ３０が取り付けられた後であっても、グローブ３０の安定的な取り付け状態を維持したまま、回転によってグローブ３０の角度を調整することができる。これにより、略三角柱状に形成され、取り付け角度が定められているグローブ３０であっても、台座１０の取り付け角度には正確さがさほど要求されないものとなり、台座１０を支持面６３へ取り付ける作業が容易なものとなる。
【００４６】
更に、グローブ３０と台座１０とを係合させる構成を、突部と溝部という組み合わせとしたことにより、わずかな回転角度で充分に係合させることができる。また、突部と溝部のうち、グローブ３０の内部に設けられるグローブ側係合部４０に設ける構成を、形成のより容易な突部としたことにより、照明器具１全体の製造が簡易なものとなり、製造コストを抑えることが可能となる。
【００４７】
また、突部４１及び係止溝部２１の数が三つ未満の場合は係合状態が不安定となりやすく、数が多ければ全体構造が複雑となって製造の手間やコストが嵩みやすいところ、本実施形態では、突部４１及び係止溝部２１をそれぞれを三つ設ける設定としているため、係合状態の安定性と、製造の手間やコストの削減とを、同時に実現することができる。
【００４８】
加えて、本実施形態のグローブ３０は、グローブ底面３２と構成する角度が異なる第一被覆面３７及び第二被覆面３８を有する略三角柱状に形成され、しかも、ソケット５１が屈曲型で回転中心から外れた位置に取り付けられているため、仮に、突部４１と係止溝部２１が正しい取り付け位置以外でも係合可能な構成とされている場合は、グローブ底面３２と構成する角度の小さな第二被覆面３８と、ソケット５１とが、グローブ３０の回転によって衝突する恐れがある。しかしながら、本実施形態では、両者が係合可能である相対的な位置関係を、一つに規制しているため、自ずと、正しい位置にグローブ３０を取り付けることができる。
【００４９】
また、スライド溝部２３に沿った突部４１のスライドに伴い、小突起２５を突部４１が通過する際に抵抗が生じるため、突部４１が安定的に係止される位置まで移動したことを、作業者が手感触で知ることができ、取り付け作業が容易なものとなっている。また、照明器具１に衝撃や振動が与えられた場合であっても、突部４１が導入溝部２２まで戻ってしまうことが小突起２５によって防止されるため、グローブ３０の台座１０に対する係止状態がより安定したものとなっている。
【００５０】
更に、本実施形態では、台座１０に設けられたフランジ部１６により、台座側係合部２０とグローブ側係合部４０との間隙を介して、水がグローブ３０内部に流入する恐れが低減されている。加えて、フランジ部１６をグローブ３０側に形成されたフランジ受部４６に嵌め込む構成としたことにより、その止水効果がより高められていると共に、支持面６３から突出する台座１０部分の高さの増加が防止されている。
【００５１】
また、本実施形態では、Ｏリング受部１８に発泡樹脂製のＯリング５８を嵌め込んでいるため、Ｏリング５８の弾性によって、グローブ３０の回転による突部４１と係止溝部２１の係合状態が、より安定するものとなっていると共に、台座側係合部２０とグローブ側係合部４０との間隙を介して、水がグローブ３０内部に流入する恐れが、更に低減されている。これにより、台座１０にグローブ３０が取り付けられた後であっても、グローブ３０の台座１０への安定的な係止状態を維持したまま、グローブ３０の角度を調整することができると同時に、良好な止水状態を維持したまま、グローブ３０の角度を調整することができる照明器具１となっている。
【００５２】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５３】
例えば、上記の実施形態では、グローブ側係合部の内周面に突部を設け、台座側係合部の外周面に係止溝部を設ける場合を例示したが、突部と係止溝部との関係を逆とし、グローブ側係合部の内周面に係止溝部を設け、台座側係合部の外周面に突部を設けても構わない。
【００５４】
また、グローブの形状を略三角柱状とした場合を例示したが、もちろん、このような形状に限定されるものではない。特に、本実施形態では、台座にグローブを取り付けた後であっても、グローブの角度を容易に調整できるため、グローブのデザインの選択の幅が広いものとなっている。
【図面の簡単な説明】
【００５５】
【図１】本実施形態の照明器具の（ａ）グローブの構成を示す斜視図、及び（ｂ）台座の構成を示す斜視図である。
【図２】図１（ｂ）の台座の側面図である。
【図３】図１（ｂ）の台座の側面図である
【図４】本実施形態の照明器具が支持面に取り付けられた状態を示す説明図である。
【図５】図３におけるＸ−Ｘ断面図である。
【図６】従来の照明器具の構成を例示する説明図である。
【符号の説明】
【００５６】
１  照明器具
１０  台座
１１  台座基部
１２  台座底面
１６  フランジ部
１８  Ｏリング受部
２０  台座側係合部
２１  係止溝部
２２  導入溝部
２３  スライド溝部
２５  小突起
２７  第一傾斜辺
２８  第二傾斜辺
２９  閉端辺
３０  グローブ
３１  グローブ内空間
３２  グローブ底面（グローブ端部）
３５  グローブ開口部
３７  第一被覆面
３８  第二被覆面
４０  グローブ側係合部
４１  突部
４６  フランジ受部
５２  光源
６３  支持面
【図１】
2008091133.tif 000003
【図２】
2008091133.tif 000004
【図３】
2008091133.tif 000005
【図４】
2008091133.tif 000006
【図５】
2008091133.tif 000007
【図６】
2008091133.tif 000008